(57)【特許請求の範囲】
【請求項１】
伸縮性を有し、腰部と大腿部に巻回保持されるベルト体を有する釣用尻当て具において、腰部に該腰部の締付力を調節する調節ベルトを設けたことを特徴とする釣り用尻当て具。
【請求項２】
前記釣り用尻当て具は腰部に巻回されるベルト体に係止部材を設けたことを特徴とする請求項１記載の釣り用尻当て具。
【請求項３】
前記釣り用尻当て具は前記腰部のベルト体内側にカイロ収納部を設けたことを特徴とする請求項１又は２記載の釣り用尻当て具。
【請求項４】
前記ベルト体は脊柱の両側の背に当たる腰痛保護用の板状体を有することを特徴とする請求項１乃至３記載の釣り用尻当て具。
【発明の詳細な説明】
【０００１】
【発明の属する技術分野】
本発明は、釣りで装着される釣り用尻当て具の改良に関する。
【０００２】
【従来の技術】
従来、磯釣りでは岩に座ったりする場合の尻部の保護、又船釣りでも座ったりすると尻部が濡れてしまうため、クロロプレンゴムで成形した尻当て具を使用しているが、腰部のベルト単体で保持されているため、腰部の微調整が行えなかった。
又、通常、尻当て具の下にはズボン（パンツ）が着用されるが、常時、体を動かす釣りの動作においては当初装着したところから次第にずれてくる問題も生じていた。
他に寒い時には腰痛に悩まされる釣人も多いが、かかる尻当て具は腰痛の保護には何の効果も持つものはなかった。
【０００３】
【発明が解決しようとする課題】
解決しようとする問題点は、釣りはしゃがんだりする動作も多いため、腰痛に悩まされている人は多いが、従来の尻当て具では腰部と尻部を覆うようになつているが、腰痛を緩和するような目的は持ってなく、腰痛の防止が図れていなかったことである。
【０００４】
本発明の目的は前記欠点に鑑み、装着感が良く、常時、体を動かしてもずれの生じ難い釣り用尻当て具を提供することである。
【０００５】
【課題を解決するための手段】
上記課題を解決するために、
請求項１に係わる本発明は、伸縮性を有し、腰部と大腿部に巻回保持されるベルト体を有する釣用尻当て具において、腰部に該腰部の締付力を調節する調節ベルトを設けたことを要旨とするものである。
請求項２に係わる本発明は、前記釣り用尻当て具は腰部に巻回されるベルト体に係止部材を設けたことを要旨とするものである。
請求項３に係わる本発明は、前記釣り用尻当て具は前記腰部のベルト体内側にカイロ収納部を設けたことを要旨とするものである。
請求項４に係わる本発明は、前記ベルト体は脊柱の両側の背に当たる腰痛保護用の板状体を有することを要旨とするものである。
【０００６】
【発明の実施の形態】
請求項１の本発明により、調節ベルト２や係止部材３を設けているため、身体を常時動かしても尻当て具がずれ難く、又、落下し難い。
調節ベルト２の両端が腰部側面に係止されて背骨と身体の後側両側が前側に押し出されるように締め付けられて腹部は圧迫されないと、装着感が良く、腰部が軽やかになる。
従来通り尻当て部１ａや大腿当て部１ｅ、１ｆで防寒が図られるのみでなく、腰部全体を覆うため腰痛を緩和できる。
【０００７】
請求項２の本発明により、係止部材３を設けてズボン（パンツ）の前側がたくしあげられて係止されると、ベルト体１ｃ、１ｄの係止を外してもサスペンダと同様の効果があって釣り用尻当て具１がずり落ちない。
請求項３の本発明により、釣り用尻当て具１のカイロ収納部４にカイロを収納すると腰痛が緩和できる。
請求項４の本発明により、釣り用尻当て具１に腰痛保護用の板状体５、５が固定されていると、腰痛が緩和できる。
【０００８】
【実施例】
以下、図示の実施例によって本発明を説明すると、図１から図６は第１実施例で、図１は人体装着形状にした釣り用尻当て具の斜視図、図２は釣り用尻当て具の平面図、図３は釣り用尻当て具の表面側面図、図４は釣り用尻当て具の裏面側面図、図５は係止部材の（ａ）側面図で（ｂ）表面の側面図で（ｃ）裏面の側面図、図６は人体に装着された釣り用尻当て具の正面図、図７は人体に釣り用尻当て具が装着されて調節ベルトが締め付けられた平面図である。
【０００９】
釣り用尻当て具１は、クッション性と伸縮性のある素材のクロロプレンゴム、発泡ゴムなどや水を含み難い立体クッションと耐摩耗性繊維を重ねた材料で尻部を覆うように、尻当て部１ａに腰当て部１ｂとベルト体１ｃ、１ｄと大腿当て部１ｅ、１ｆと大腿ベルト部１ｇ、１ｈが一体に形成されている。
ベルト体１ｃ、１ｄの中央の腰当て部１ｂの表面には弾性を有するゴムなどの調節ベルト２の中央部が帯体１０を重ねて固定されている。
ベルト体１ｃ、１ｄには夫々係止部材３、３が帯体１１、１１で取り付けられている。
ベルト体１ｃの裏面にはベルベット式雄面ファスナ−１２が、大腿ベルト部１ｇ、１ｈの裏面には夫々ベルベット式雄面ファスナ−１３、１４が固定されている。
【００１０】
ベルト体１ｃの表面にはベルベット式雌面ファスナ−１５が、ベルト体１ｄの表面にはベルベット式雌面ファスナ−１６が、大腿当て部１ｅ、１ｆの表面には夫々ベルベット式雌面ファスナ−１７、１８が固定されている。
釣り用尻当て具１の表面全体をベルベット式雄面ファスナ−が係止可能な繊維素材で覆ってもよい。
腰当て部１ｂの内側にはカイロ収納部４が取り付けられている。
調節ベルト２の両端裏面には夫々ベルベット式雄面ファスナ−１９、２０が固定されている。
係止部材３は鰐口クリップ形状に形成されている。
【００１１】
釣り用尻当て具１が身体に装着される時は、尻当て部１ａが尻部に、腰当て部１ｂが腰部に当てられてベルト体１ｃ、１ｄが交差されてベルベット式雄面ファスナ−１２がベルベット式雌面ファスナ−１６に係止される。
次に大腿当て部１ｅ、１ｆの表面の夫々ベルベット式雌面ファスナ−１７、１８に大腿ベルト部１ｇ、１ｈの裏面の夫々ベルベット式雄面ファスナ−１３、１４が係止される。
その後調節ベルト２が伸ばされて夫々ベルベット式雄面ファスナ−１９、２０がベルト体１ｃの表面のベルベット式雌面ファスナ−１５とベルト体１ｄの表面のベルベット式雌面ファスナ−１６に係止される。
係止部材３にはズボン（パンツ）の前側がたくしあげられて係止され、ベルト体１ｃ、１ｄの係止を外してもサスペンダと同様の効果があって釣り用尻当て具１がずり落ちない。
【００１２】
ベルト体１ｃ、１ｄが交差されてベルベット式雄面ファスナ−１２がベルベット式雌面ファスナ−１６に係止された後、調節ベルト２が伸ばされて夫々ベルベット式雄面ファスナ−１９、２０がベルト体１ｃの表面のベルベット式雌面ファスナ−１５とベルト体１ｄの表面のベルベット式雌面ファスナ−１６に係止され、係止されると、背骨と身体の後側両側が前側に押し出されるように締め付けられるが、腹部は圧迫されない。
又、調節ベルト２の両端の係止は微調整することが出来る。
【００１３】
前記のように釣り用尻当て具が構成されていると、調節ベルト２や係止部材３を設けているため、身体を常時動かしても尻当て具がずれ難く、又、落下し難い。
調節ベルト２の両端が腰部側面に係止されて背骨と身体の後側両側が前側に押し出されるように締め付けられて腹部は圧迫されないと、装着感が良く、腰部が軽やかになる。
従来通り尻当て部１ａや大腿当て部１ｅ、１ｆで防寒が図られるのみでなく、腰部全体を覆うため腰痛を緩和できる。
カイロ収納部４にカイロを収納すると腰痛が緩和できる。
【００１４】
図８は第２実施例で、図８は釣り用尻当て具の裏面側面図である。
【００１５】
第２実施例の釣り用尻当て具１のベルト体１ｃ、１ｄの中央の腰当て部１ｂの裏面には脊柱の両側の背に当たる箇所に腰痛保護用の板状体５、５が固定されている。
他の構成は前記第１実施例と略同一である。
【００１６】
第２実施例のように釣り用尻当て具１に腰痛保護用の板状体５、５が固定されていると、仙骨が固定され腰痛が緩和できる。
【００１７】
前記説明では、ベルト体１ｃとベルト体１ｄ及び大腿当て部１ｅ、１ｆと大腿ベルト部１ｇ、１ｈを夫々ベルベット式面ファスナ−で係止したが、バックル等で係止してもよい。
【００１８】
【発明の効果】
本発明は、以上説明したような形態で実施され、以下に記載されるような効果を奏する。
【００１９】
請求項１により、調節ベルトや係止部材を設けているため、身体を常時動かしても尻当て具がずれ難く、又、落下し難い。
調節ベルトの両端が腰部側面に係止されて背骨と身体の後側両側が前側に押し出されるように締め付けられて腹部は圧迫されないと、装着感が良く、腰部が軽やかになる。
従来通り尻当て部や大腿当て部で防寒が図られるのみでなく、腰部全体を覆うため腰痛を緩和できる。
【００２０】
請求項２により、係止部材を設けてズボン（パンツ）の前側がたくしあげられて係止されると、ベルト体の係止を外してもサスペンダと同様の効果があって釣り用尻当て具がずり落ちない。
請求項３により、釣り用尻当て具のカイロ収納部にカイロを収納すると腰痛が緩和できる。
請求項４により、釣り用尻当て具に腰痛保護用の板状体が固定されていると、腰痛が緩和できる。
【図面の簡単な説明】
【図１】第１実施例で、人体装着形状にした釣り用尻当て具の斜視図である。
【図２】同釣り用尻当て具の平面図である。
【図３】同釣り用尻当て具の表面側面図である。
【図４】同釣り用尻当て具の裏面側面図である。
【図５】同係止部材の（ａ）側面図で（ｂ）表面の側面図で（ｃ）裏面の側面図である。
【図６】同人体に装着された釣り用尻当て具の正面図である。
【図７】同人体に釣り用尻当て具が装着されて調節ベルトが締め付けられた平面図である。
【図８】第２実施例で、釣り用尻当て具の裏面側面図である。
【符号の説明】
１  釣り用尻当て具
１ｃ、１ｄ  ベルト体
２  調節ベルト
３  係止部材
４  カイロ収納部
５  腰痛保護用の板状体
【図１】
0004236798.tif 000002
【図２】
0004236798.tif 000003
【図３】
0004236798.tif 000004
【図４】
0004236798.tif 000005
【図５】
0004236798.tif 000006
【図６】
0004236798.tif 000007
【図７】
0004236798.tif 000008
【図８】
0004236798.tif 000009